(57)【要約】【課題】  コンタクトの先端をガイドすることにより、相手側コネクタと嵌合し易く、しかも、接続の信頼性が高いコネクタを提供する。【解決手段】  レセプタクル側インシュレータ２２（プラグ側インシュレータ１２も同様である。）内の下部における中央仕切壁２２ａの両側に平行に、モールド壁２２ｃが形成され、モールド壁は中央仕切壁の一部である底壁２２ａ１を有する。モールド壁は、多数のレセプタクル側コンタクト２３の接触受け部２３ｂの少なくとも一部をそれぞれ収容する溝状の多数の収容部２２ｃ１を有する。各収容部２２ｃ１は、入口に各プラグ側コンタクト１３の接触部１３ａ１を嵌合の際ガイドするテーパ状のガイド部２２ｃ１ａを有する。【選択図】  図３
2008071517.tif 000002
【特許請求の範囲】
【請求項１】
コネクタは、コンタクトと、前記コンタクトを保持するハウジングとを有し、
前記コンタクトは、ばね部と、前記ばね部に設けられ、相手側コネクタの接触受け部と接続する接触部と、前記相手側コネクタの接触部と接続する接触受け部と、前記ハウジングに保持される保持部とを有し、
前記ハウジングは、前記接触受け部の少なくとも一部を収容する収容部を有し、
前記収容部は、前記相手側コネクタの接触部をガイドするガイド部を有することを特徴とするコネクタ。
【請求項２】
互いに接続するコネクタにおいて、
それぞれの前記コネクタは、コンタクトと、前記コンタクトを保持するハウジングとを有し、
前記コンタクトは、ばね部と、前記ばね部に設けられ、相手側コネクタの接触受け部と接続する接触部と、前記相手側コネクタの接触部と接続する接触受け部と、前記ハウジングに保持される保持部とを有し、
前記ハウジングは、前記接触受け部の少なくとも一部を収容する収容部を有し、前記収容部は、前記相手側コネクタの接触部をガイドするガイド部を有することを特徴とする雌雄同体型のコネクタ。
【請求項３】
前記収納部は前記ハウジングの一部である底壁を有し、前記接触受け部は前記コンタクトの長さ方向において略コ字状に形成され、前記略コ字状の両端が前記底壁に当接することを特徴とする請求項１又は２記載のコネクタ。
【発明の詳細な説明】
【技術分野】
【０００１】
本発明は、コネクタに関し、詳しく述べると、相手側コネクタと嵌合し易く、しかも、接続の信頼性が高いコネクタに関する。
【背景技術】
【０００２】
従来のコネクタについて本出願前に頒布された刊行物を引用して説明する（例えば、特許文献１参照。）。
【０００３】
図５（Ａ）〜（Ｅ）は、コネクタ４１，５１の嵌合の初期から終期までにおけるコンタクト４２，５２の挙動を示す模式図である。
【０００４】
コンタクト４２，５２の中心軸線４３，５３は、同軸線上に位置する。
【０００５】
コネクタ４１，５１が嵌合すると、図５（Ａ）〜（Ｃ）に示されるように、まず、コンタクト４２，５２の円弧状の接点４２ａ，５２ａは、相対的に摺接しながら移動して互いに乗り越える。
【０００６】
次に図５（Ｄ）に示されるように、接点４２ａがコンタクト５２の接触斜面５２ｂ１に、かつ、接点５２ａがコンタクト４２の接触斜面４２ｂ１に、それぞれ沿って相対的に摺接しながら移動する。このような移動に伴って、接点４２ａ，５２ａを有する弾性可変形部４２ｂ，５２ｂは、それぞれの弾性力に抗して変位する。このとき、接触斜面４２ｂ１，５２ｂ１の存在により、コンタクト４２，５２の固定部４２ｃ，５２ｃに負荷が集中して固定部４２ｃ，５２ｃが変形することがない。
【０００７】
最終的には、図５（Ｅ）に示されるように、接点４２ａが接触平面５２ｂ２に、かつ、接点５２ａが接触平面４２ｂ２に、それぞれ乗り上げて弾性的に接触する。
【０００８】
この種のコネクタは、他の刊行物にも記載されている（例えば、特許文献２，３参照。）。
【０００９】
【特許文献１】特公平５−７８２９号公報
【特許文献２】特許第２８７１１２８号公報
【特許文献３】特開２００５−５１５８号公報
【発明の開示】
【発明が解決しようとする課題】
【００１０】
前記従来のコネクタでは、コンタクトの接点が円弧状に形成されているが、嵌合に際してコンタクトの先端同士の衝突を回避する格別の手段がなく、また、コンタクトの先端をガイドする格別の手段もない。また、コンタクトが狭ピッチに配置されている場合、ピッチずれが生じるので、両コネクタの接続が不安定である。
【００１１】
そこで、本発明は、前記従来のコネクタの欠点を改良し、コンタクトの先端をガイドすることにより、相手側コネクタと嵌合し易く、しかも、接続の信頼性が高いコネクタを提供しようとするものである。
【課題を解決するための手段】
【００１２】
本発明は、前記課題を解決するため、次の手段を採用する。
【００１３】
１．コネクタ１１，２１は、コンタクト１３，２３と、前記コンタクトを保持するハウジング１２，２２とを有し、前記コンタクトは、ばね部１３ａ，２３ａと、前記ばね部に設けられ、相手側コネクタ２１，１１の接触受け部２３ｂ，１３ｂと接続する接触部１３ａ１，２３ａ１と、前記相手側コネクタの接触部２３ａ１，１３ａ１と接続する接触受け部１３ｂ，２３ｂと、前記ハウジングに保持される保持部１３ｃ，２３ｃとを有し、前記ハウジングは、前記接触受け部の少なくとも一部を収容する収容部２２ｃ１を有し、前記収容部は、前記相手側コネクタの接触部をガイドするガイド部２２ｃ１ａを有するコネクタ。
【００１４】
２．互いに接続するコネクタにおいて、それぞれの前記コネクタは、コンタクトと、前記コンタクトを保持するハウジングとを有し、前記コンタクトは、ばね部と、前記ばね部に設けられ、相手側コネクタの接触受け部と接続する接触部と、前記相手側コネクタの接触部と接続する接触受け部と、前記ハウジングに保持される保持部とを有し、前記ハウジングは、前記接触受け部の少なくとも一部を収容する収容部を有し、前記収容部は、前記相手側コネクタの接触部をガイドするガイド部を有する雌雄同体型のコネクタ。
【００１５】
３．前記収納部は前記ハウジングの一部である底壁２２ａ１を有し、前記接触受け部は前記コンタクトの長さ方向において略コ字状に形成され、前記略コ字状の両端が前記底壁に当接する前記１又は２記載のコネクタ。
【発明の効果】
【００１６】
明細書の説明から明らかなように、本発明は、次の効果を奏する。
【００１７】
１．コネクタのコンタクトの接触部が嵌合の際、相手側コネクタのガイド部によりガイドされるから、両コネクタのコンタクトの先端同士の衝突が回避されるので、両コネクタはスムーズに嵌合することができる。
【００１８】
２．両コネクタを雌雄同体型のコネクタに構成することができるので、コストが安価となり、また、両コネクタの取扱いが便利である。
【００１９】
３．コンタクトの接触受け部が略コ字状に形成され、略コ字状の両端が収容部の底壁に当接する。したがって、接触受け部も弾性変位することができるので、接触の信頼性が向上する。また、コンタクトがハウジングの所定位置に保持されるので、接触受け部の位置精度に優れる。
【発明を実施するための最良の形態】
【００２０】
本発明の一実施例のコネクタについて図１〜図４を参照して説明する。
【実施例１】
【００２１】
図１（Ａ）は、本発明の実施例１のコネクタ１におけるプラグ側コネクタ１１の分解斜視図である。プラグ側インシュレータ１２の中央には、多数対のコンタクト保持用孔１２ａが２列に所定のピッチで設けられている。多数対のコンタクト保持用孔１２ａに、多数対のプラグ側コンタクト１３がそれぞれ挿入保持される。プラグ側インシュレータ１２の４側面は、一対のプラグ側シェル１４によって被覆される。
【００２２】
図１（Ｂ）は、プラグ側コネクタ１１が組み立てられた状態の斜視図である。
【００２３】
図２（Ａ）は、本発明の実施例１のコネクタ１におけるレセプタクル側コネクタ２１の分解斜視図である。レセプタクル側インシュレータ２２の中央仕切壁２２ａの両側には、多数対のコンタクト保持用孔２２ｂ（図３（Ａ）参照）が２列に所定のピッチで設けられている。多数対のコンタクト保持用孔２２ｂに、多数対のレセプタクル側コンタクト２３がそれぞれ挿入保持される。レセプタクル側インシュレータ２２の４側面は、一対のレセプタクル側シェル２４によって被覆される。
【００２４】
レセプタクル側シェル２４は、プラグ側シェル１４と接触するばね接触部２４ｂを複数有する。レセプタクル側インシュレータ２２は、ばね接触部２４ｂが挿入される溝２２ｄを複数有する。
【００２５】
図２（Ｂ）は、レセプタクル側コネクタ２１が組み立てられた状態の斜視図である。
【００２６】
図３（Ａ）は、プラグ側コネクタ１１とレセプタクル側コネクタ２１の嵌合前の要部の拡大断面図である。
【００２７】
プラグ側コンタクト１３は、ばね部１３ａと、接触受け部（中間部）１３ｂと、プラグ側インシュレータ（ハウジング）１２に保持される保持部（圧入部）１３ｃとから一体に構成される。
【００２８】
ばね部１３ａは、先端にレセプタクル側コンタクト２３の接触受け部２３ｂと接続する接触部１３ａ１を、途中にクランク部１３ａ２を、それぞれ有する。
【００２９】
接触受け部１３ｂは、ばね部１３ａの近辺の一端と保持部１３ｃの近辺の一端を除き、レセプタクル側コンタクト２３の接触部２３ａ１と接続する側の反対側を欠除されて、保持部１３ｃの幅の半分程度の幅に狭く構成される。
【００３０】
図３（Ｂ）を参照して、保持部１３ｃ，２３ｃの幅をＷ１、接触受け部１３ｂ，２３ｂの幅をＷ２、ばね部１３ａ，２３ａの幅をＷ３とすると、Ｗ２＋Ｗ３≦Ｗ１の関係になる。すなわち、接触受け部の幅とばね部の幅を足した幅を保持部の幅以下とすることにより、コネクタ接続時のインピーダンスを均一にして、インピーダンスの整合を良好にすることができ、高周波伝送に優れたコネクタとすることができる。
【００３１】
レセプタクル側コンタクト２３は、ばね部２３ａと、接触受け部（中間部）２３ｂと、レセプタクル側インシュレータ（ハウジング）２２に保持される保持部（圧入部）２３ｃとから一体に構成される。
【００３２】
ばね部２３ａは、先端にプラグ側コンタクト１３の接触受け部１３ｂと接続する接触部２３ａ１を、途中にクランク部２３ａ２を、それぞれ有する。
【００３３】
接触受け部２３ｂは、ばね部２３ａの近辺の一端と保持部２３ｃの近辺の一端を除き、プラグ側コンタクト１３の接触部１３ａ１と接続する側の反対側を欠除されて、保持部２３ｃの幅の半分程度の幅に狭く構成される。
【００３４】
図３（Ｂ）は、プラグ側コネクタ１１とレセプタクル側コネクタ２１の嵌合後の要部の拡大断面図である。この状態では、プラグ側コンタクト１３の接触部１３ａ１はレセプタクル側コンタクト２３の接触受け部２３ｂと接続し、レセプタクル側コンタクト２３の接触部２３ａ１はプラグ側コンタクト１３の接触受け部１３ｂと接続する。
【００３５】
図３（Ａ）の下図と図４を参照して、モールド壁、底壁、レセプタクル側コンタクト２３の収容部及びプラグ側コンタクト１３をガイドするガイド部について説明する。
【００３６】
レセプタクル側インシュレータ２２内の下部における中央仕切壁２２ａの両側に平行に、モールド壁２２ｃが形成され、モールド壁２２ｃは中央仕切壁２２ａの一部である底壁２２ａ１を有する。
【００３７】
モールド壁２２ｃは、多数のレセプタクル側コンタクト２３の接触受け部２３ｂの少なくとも一部をそれぞれ収容する溝状の多数の収容部２２ｃ１を有する。各収容部２２ｃ１は、入口に各プラグ側コンタクト１３の接触部１３ａ１を嵌合の際ガイドするテーパ状のガイド部２２ｃ１ａを有する。
【００３８】
プラグ側インシュレータ１２のモールド壁１２ｃも、レセプタクル側インシュレータ２２のモールド壁２２ｃと同一構造であり、収容部１２ｃ１、ガイド部１２ｃ１ａ、底壁１２ａ１も同様である。
【００３９】
レセプタクル側コンタクト２３の接触受け部２３ｂは、レセプタクル側コンタクト２３の長さ方向において略コ字状に形成され、略コ字状の両端が底壁２２ａ１に当接する。この点は、プラグ側コンタクト１３も同様である。
【００４０】
接触受け部１３ｂ，２３ｂは略コ字状に形成され、略コ字状の底部の外側が相手側コンタクト２３，１３の接触部２３ａ１，１３ａ１と接触する。したがって、接触受け部１３ｂ，２３ｂも弾性変位することができるので、接触の信頼性が向上する。
【００４１】
また、接触受け部１３ｂ，２３ｂの略コ字状の両端が収容部２２ｃ１，１２ｃ１の底壁２２ａ１，１２ａ１に当接することによりコンタクト１３，２３が保持されるので、接触受け部１３ｂ，２３ｂの位置精度に優れる。
【００４２】
プラグ側コンタクト１３にクランク部１３ａ２が設けられ、レセプタクル側コンタクト２３にクランク部２３ａ２が設けられている。したがって、プラグ側コネクタ１１とレセプタクル側コネクタ２１が嵌合する際、両コンタクト１３，２３の接触部１３ａ１，２３ａ１同士の衝突が回避されるので、両コンタクト１３，２３は、座屈を防止される。
【００４３】
本実施例１においては、両コンタクト１３，２３は、保持部（圧入部）１３ｃ，２３ｃの構成が異なるが、同一の形状に構成しても良い。
【００４４】
更に、両コネクタ１１，２１のインシュレータ（ハウジング）１２，２２とシェル１４，２４も同一の形状に構成すると、両コネクタ１１，２１は、雌雄同体型となる。
【図面の簡単な説明】
【００４５】
【図１】本発明の実施例１のコネクタにおけるプラグ側コネクタの斜視図であり、（Ａ）は分解図、（Ｂ）は組立図を、それぞれ示す。
【図２】同コネクタにおけるレセプタクル側コネクタの斜視図であり、（Ａ）は分解図、（Ｂ）は組立図を、それぞれ示す。
【図３】同コネクタの嵌合前後の要部の拡大断面図であり、（Ａ）は嵌合前の状態、（Ｂ）は嵌合後の状態を、それぞれ示す。
【図４】同レセプタクル側コネクタにおけるモールド壁、レセプタクル側コンタクトの収容部及びプラグ側コンタクトをガイドするガイド部の拡大斜視図である。
【図５】従来のコネクタの嵌合の初期から終期までにおけるコンタクトの挙動を示す模式図である。
【符号の説明】
【００４６】
１  コネクタ
１１  プラグ側コネクタ
１２  プラグ側インシュレータ（ハウジング）
１２ａ  コンタクト保持用孔
１２ａ１  底壁
１２ｃ  モールド壁
１２ｃ１  収容部
１２ｃ１ａ  ガイド部
１３  プラグ側コンタクト
１３ａ  ばね部
１３ａ１  接触部
１３ａ２  クランク部
１３ｂ  接触受け部（中間部）
１３ｃ  保持部（圧入部）
１４  プラグ側シェル
２１  レセプタクル側コネクタ
２２  レセプタクル側インシュレータ（ハウジング）
２２ａ  中央仕切壁
２２ａ１  底壁
２２ｂ  コンタクト保持用孔
２２ｃ  モールド壁
２２ｃ１  収容部
２２ｃ１ａ  ガイド部
２２ｄ  溝
２３  レセプタクル側コンタクト
２３ａ  ばね部
２３ａ１  接触部
２３ａ２  クランク部
２３ｂ  接触受け部（中間部）
２３ｃ  保持部（圧入部）
２４  レセプタクル側シェル
２４ｂ  ばね接触部
【図１】
2008071517.tif 000003
【図２】
2008071517.tif 000004
【図３】
2008071517.tif 000005
【図４】
2008071517.tif 000006
【図５】
2008071517.tif 000007